(57)【要約】【課題】低コストで物品が配置された正確な位置を知らせる情報出力システムを提供する。【解決手段】複数のアンテナ３１０Ａ、３１０Ｂ、３１０Ｃは、物品５１０に固定されてタグ情報を記憶する複数の無線タグ５１１、５１２のうち１つの無線タグからタグ情報を含む電波を受信する。処理装置は、リーダライタにより少なくとも１つのタグ情報が読み取られた場合、複数のアンテナ３１０Ａ、３１０Ｂ、３１０Ｃの配置パターンに応じた複数の配置領域６１０、６２０、６３０、６４０、６５０のうち、複数のアンテナ３１０Ａ、３１０Ｂ、３１０Ｃのうち上記少なくとも１つのタグ情報の読み取りに使用された少なくとも１つのアンテナの組み合わせに対応する配置領域を示す情報である領域情報を出力する。【選択図】図６
2019003563.tif 000002
【特許請求の範囲】
【請求項１】
物品に固定されてタグ情報を記憶する複数の無線タグのうち１つの無線タグから前記タグ情報を含む電波を受信する複数のアンテナと、
前記複数のアンテナを介して、前記複数の無線タグのうち少なくとも１つの無線タグから前記タグ情報を読み取るリーダと、
前記リーダにより少なくとも１つのタグ情報が読み取られた場合、前記複数のアンテナの配置パターンに応じた複数の配置領域のうち、前記複数のアンテナのうち前記少なくとも１つのタグ情報の読み取りに使用された少なくとも１つのアンテナの組み合わせに対応する配置領域を示す情報である領域情報を出力する情報出力手段と、を備える、
情報出力システム。
【請求項２】
前記タグ情報は、前記物品への固定位置を識別するための情報である位置識別情報を含み、
前記固定位置と前記固定位置を識別するための位置識別情報を含むタグ情報の読み取りに使用されるアンテナとは、前記複数の配置領域のそれぞれについて予め対応付けられており、
前記情報出力手段は、前記リーダにより前記少なくとも１つのタグ情報が読み取られた場合において、前記少なくとも１つのタグ情報のうちいずれかのタグ情報に含まれる位置識別情報により識別される固定位置と、前記いずれかのタグ情報の読み取りに使用されたアンテナとが対応しない場合、前記物品が誤った方向で配置されたことを報知する報知情報を出力する、
請求項１に記載の情報出力システム。
【請求項３】
前記複数のアンテナは、平面状のアンテナであり、前記複数のアンテナの長手方向が平行になるように配置され、
前記複数の配置領域は、前記複数のアンテナの長手方向に一列に並び、前記複数のアンテナのうち少なくとも１つのアンテナと重なり、
前記複数の無線タグは、前記物品が正しい方向で配置された場合に前記複数のアンテナの長手方向と直交する方向に一列に並ぶ、
請求項１又は２に記載の情報出力システム。
【請求項４】
前記タグ情報は、前記物品を識別するための情報である物品識別情報を含み、
前記複数の無線タグは、複数の物品のそれぞれに固定され、
前記情報出力手段は、前記リーダにより前記少なくとも１つのタグ情報が読み取られた場合、前記複数の物品のうち、前記少なくとも１つのタグ情報に含まれる前記物品識別情報により識別される物品と、前記複数の配置領域のうち、前記少なくとも１つのアンテナの組み合わせに対応する配置領域と、の対応関係を示す情報である対応関係情報を出力する、
請求項１から３の何れか１項に記載の情報出力システム。
【発明の詳細な説明】
【技術分野】
【０００１】
本発明は、情報出力システムに関する。
【背景技術】
【０００２】
現在、無線タグを用いて、物品を管理する技術が知られている。無線タグは、物品に付され、物品のＩＤ（Identifier）を示すタグ情報を記憶する。そして、無線タグに記憶されたタグ情報は、アンテナを介してリーダにより非接触で読み取られる。特許文献１には、平面状のアンテナである通信シートを用いて、医療現場において医療品を管理する医療品管理システムが開示されている。
【０００３】
この医療品管理システムは、リーダライタが、医療品が置かれる場所に設置された通信シートを介して、医療品に付された無線タグから医療品の管理情報を読み取る。この医療品管理システムでは、小さめの１つの通信シートで１つの医療品の管理情報を読み取ることもできるし、大きめの１つの通信シートで複数の医療品の管理情報を読み取ることもできる。
【先行技術文献】
【特許文献】
【０００４】
【特許文献１】特開２０１７−０２１８０６号公報
【発明の概要】
【発明が解決しようとする課題】
【０００５】
しかしながら、小さめの１つの通信シートで１つの医療品の管理情報を読み取る場合、医療品の個数分通信シートが必要になり、コストがかかる。一方、大きめの１つの通信シートで複数の医療品の管理情報を読み取る場合、この通信シート上のどの領域に医療品が配置されたのかを特定することができないため、医療品が配置された位置を精度良く特定することが困難である。このため、低コストで、物品が配置された位置を精度良く特定し、特定した位置をユーザに知らせる技術が望まれている。
【０００６】
本発明は、上記問題に鑑みてなされたものであり、低コストで物品が配置された正確な位置を知らせる情報出力システムを提供することを目的とする。
【課題を解決するための手段】
【０００７】
上記目的を達成するために、本発明に係る情報出力システムは、
物品に固定されてタグ情報を記憶する複数の無線タグのうち１つの無線タグから前記タグ情報を含む電波を受信する複数のアンテナと、
前記複数のアンテナを介して、前記複数の無線タグのうち少なくとも１つの無線タグから前記タグ情報を読み取るリーダと、
前記リーダにより少なくとも１つのタグ情報が読み取られた場合、前記複数のアンテナの配置パターンに応じた複数の配置領域のうち、前記複数のアンテナのうち前記少なくとも１つのタグ情報の読み取りに使用された少なくとも１つのアンテナの組み合わせに対応する配置領域を示す情報である領域情報を出力する情報出力手段と、を備える。
【０００８】
前記タグ情報は、前記物品への固定位置を識別するための情報である位置識別情報を含み、
前記固定位置と前記固定位置を識別するための位置識別情報を含むタグ情報の読み取りに使用されるアンテナとは、前記複数の配置領域のそれぞれについて予め対応付けられており、
前記情報出力手段は、前記リーダにより前記少なくとも１つのタグ情報が読み取られた場合において、前記少なくとも１つのタグ情報のうちいずれかのタグ情報に含まれる位置識別情報により識別される固定位置と、前記いずれかのタグ情報の読み取りに使用されたアンテナとが対応しない場合、前記物品が誤った方向で配置されたことを報知する報知情報を出力してもよい。
【０００９】
前記複数のアンテナは、平面状のアンテナであり、前記複数のアンテナの長手方向が平行になるように配置され、
前記複数の配置領域は、前記複数のアンテナの長手方向に一列に並び、前記複数のアンテナのうち少なくとも１つのアンテナと重なり、
前記複数の無線タグは、前記物品が正しい方向で配置された場合に前記複数のアンテナの長手方向と直交する方向に一列に並んでいてもよい。
【００１０】
前記タグ情報は、前記物品を識別するための情報である物品識別情報を含み、
前記複数の無線タグは、複数の物品のそれぞれに固定され、
前記情報出力手段は、前記リーダにより前記少なくとも１つのタグ情報が読み取られた場合、前記複数の物品のうち、前記少なくとも１つのタグ情報に含まれる前記物品識別情報により識別される物品と、前記複数の配置領域のうち、前記少なくとも１つのアンテナの組み合わせに対応する配置領域と、の対応関係を示す情報である対応関係情報を出力してもよい。
【発明の効果】
【００１１】
本発明によれば、低コストで物品が配置された正確な位置を知らせる情報出力システムを提供することができる。
【図面の簡単な説明】
【００１２】
【図１】本発明の実施形態１に係る情報出力システムの構成図
【図２】本発明の実施形態１に係る処理装置の構成図
【図３】本発明の実施形態１に係るアンテナの平面図
【図４】図３のＡ−Ａ線における断面図
【図５】本発明の実施形態１に係る物品の斜視図
【図６】アンテナ上に物品が配置された様子を示す図
【図７】アンテナと配置領域との対応関係を示す図
【図８】本発明の実施形態１に係る処理装置が実行する情報出力処理を示すフローチャート
【図９】物品と配置領域との対応関係を示す画像を示す図
【図１０】アンテナと配置領域と無線タグの固定位置との対応関係を示す図
【図１１】物品が誤った向きで配置されたことを報知する画像を示す図
【図１２】本発明の実施形態３に係るアンテナを介してタグ情報を読み取る様子を示す図
【図１３】タグ情報の読み取り可能範囲を示す図
【図１４】本発明の実施形態３に係るアンテナの構成図であり、（Ａ）は平面図、（Ｂ）は正面図
【図１５】本発明の実施形態３に係るアンテナの断面図であり、（Ａ）は図１４（Ａ）におけるＡ−Ａ線の断面図、（Ｂ）は図１４（Ａ）におけるＢ−Ｂ線の断面図
【発明を実施するための形態】
【００１３】
以下、本発明の実施形態について、図面を参照して説明する。なお、図中において、同一又は対応する部分には、同一の符号を付す。
【００１４】
（実施形態１）
図１は、本発明の実施形態１に係る情報出力システム１０００の構成図である。図１に示すように、情報出力システム１０００は、処理装置１００と、サーバ２００と、リーダライタ３００と、アンテナ３１０Ａと、アンテナ３１０Ｂと、アンテナ３１０Ｃと、を備える。以下、アンテナ３１０Ａとアンテナ３１０Ｂとアンテナ３１０Ｃとを、適宜、総称して「アンテナ３１０」という。処理装置１００とサーバ２００とは、通信ネットワーク７００を介して相互に接続される。情報出力システム１０００は、物品５１０に固定された無線タグ５１１、５１２、物品５２０に固定された無線タグ５２１、５２２、物品５３０に固定された無線タグ５３１、５３２、物品５４０に固定された無線タグ５４１、５４２、物品５５０に固定された無線タグ５５１、５５２を更に含んでいてもよい。
【００１５】
情報出力システム１０００は、例えば、物品５１０、５２０、５３０、５４０、５５０が複数の配置領域のうちどの配置領域に配置されたのかを特定し、特定した配置領域を示す情報である領域情報を出力するシステムである。以下、適宜、物品５１０、５２０、５３０、５４０、５５０を代表して物品５１０について説明する。領域情報を出力することは、例えば、領域情報を表示装置（例えば、後述するタッチスクリーン１６）により表示すること、領域情報を表示装置（例えば、後述するタッチスクリーン１６）に送信すること、領域情報を記憶装置（例えば、後述するフラッシュメモリ１４）に記憶させること、領域情報を通信装置（例えば、サーバ２００）に送信することを含む概念である。
【００１６】
上述した複数の配置領域は、タグ情報を読み取り可能な１以上のアンテナの組み合わせに対応する。つまり、タグ情報を読み取り可能な１以上のアンテナの組み合わせは、複数の配置領域毎に異なる。このため、情報出力システム１０００は、タグ情報が読み取られた１以上のアンテナの組み合わせから、物品５１０が配置された配置領域を特定することができる。なお、１つの配置領域は、１つの物品が配置される大きさであり、水平方向に広がる２次元の領域と考えてもよいし、３次元の領域と考えてもよい。
【００１７】
処理装置１００は、リーダライタ３００から受信したタグ情報に基づいて、情報出力処理を実行する。処理装置１００は、例えば、サーバ２００に記憶された各種の情報を参照しながら、情報出力処理を実行する。処理装置１００は、例えば、ノートパソコン、タブレット端末、スマートフォンなどの端末装置である。以下、図２を参照して、処理装置１００の構成について説明する。
【００１８】
図２に示すように、処理装置１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、タッチスクリーン１６、第１の通信インターフェース１７、第２の通信インターフェース１８を備える。処理装置１００が備える各構成要素は、バスを介して相互に接続される。
【００１９】
ＣＰＵ１１は、処理装置１００の全体の動作を制御する。なお、ＣＰＵ１１は、ＲＯＭ１２に格納されているプログラムに従って動作し、ＲＡＭ１３をワークエリアとして使用する。ＲＯＭ１２には、処理装置１００の全体の動作を制御するためのプログラムやデータが記憶される。ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００２０】
フラッシュメモリ１４は、各種の情報を記憶する不揮発性メモリである。ＲＴＣ１５は、計時用のデバイスである。ＲＴＣ１５は、例えば、電池を内蔵し、処理装置１００の電源がオフの間も計時を継続する。ＲＴＣ１５は、例えば、水晶発振子を備える発振回路を備える。タッチスクリーン１６は、ユーザによりなされたタッチ操作を検知し、検知の結果を示す信号をＣＰＵ１１に供給する。また、タッチスクリーン１６は、ＣＰＵ１１から供給された画像信号に基づく画像を表示する。このように、タッチスクリーン１６は、処理装置１００のユーザインターフェースとして機能する。
【００２１】
第１の通信インターフェース１７は、処理装置１００を、通信ネットワーク７００に接続するためのインターフェースである。処理装置１００は、通信ネットワーク７００を介して通信ネットワーク７００に接続されたサーバ２００と通信する。第１の通信インターフェース１７は、例えば、ＬＡＮ（Local Area Network）インターフェース（例えば、ＮＩＣ（Network Interface Card））を備える。
【００２２】
第２の通信インターフェース１８は、処理装置１００を、リーダライタ３００と接続するためのインターフェースである。第２の通信インターフェース１８は、後述する通信ケーブル３３０を介して、リーダライタ３００に接続される。第２の通信インターフェース１８は、ＬＡＮインターフェースを備えていてもよいし、ＵＳＢ（Universal Serial Bus）やＲＳ−２３２（Recommended Standard 232）に準拠したインターフェースを備えていてもよい。
【００２３】
サーバ２００は、通信ネットワーク７００を介して、処理装置１００に各種の情報やサービスを提供するサーバである。サーバ２００は、例えば、図示しないＣＰＵ、図示しないＲＯＭ、図示しないＲＡＭ、図示しないハードディスク、図示しないＲＴＣ、図示しない通信インターフェースを備える。サーバ２００は、例えば、デスクトップパソコン、ワークステーションである。
【００２４】
リーダライタ３００は、処理装置１００からタグ情報の読み取りを指示する情報を受信した場合、無線タグ５１１、５１２、５２１、５２２、５３１、５３２、５４１、５４２、５５１、５５２（以下、適宜、「通信対象の無線タグ」という。）に電力を供給するための電波（以下、適宜「電力供給用電波」という。）に応じた電気信号をアンテナ３１０に送信する。リーダライタ３００は、電力供給用電波に応じた電気信号をアンテナ３１０に送信することにより、アンテナ３１０の近傍に近接場を生じさせる。
【００２５】
そして、リーダライタ３００は、アンテナ３１０がタグ情報を含む電波（以下、適宜「タグ情報包含電波」という。）を受信した場合、タグ情報包含電波に応じた電気信号をアンテナ３１０から受信する。リーダライタ３００は、受信した電気信号により示されるタグ情報を処理装置１００に送信する。このように、リーダライタ３００は、アンテナ３１０の近傍に発生させた近接場を介して、タグ情報を読み取る。電力供給用電波及びタグ情報包含電波は、例えば、ＵＨＦ帯域の電波（例えば、周波数が約９２０ＭＨｚ、波長が約３０ｃｍの電波）である。
【００２６】
リーダライタ３００は、通信ケーブル３３０Ａを介してアンテナ３１０Ａと接続され、通信ケーブル３３０Ｂを介してアンテナ３１０Ｂと接続され、通信ケーブル３３０Ｃを介してアンテナ３１０Ｃと接続される。以下、通信ケーブル３３０Ａ、通信ケーブル３３０Ｂ、通信ケーブル３３０Ｃを、適宜、総称して、通信ケーブル３３０という。リーダライタ３００は、時分割で、通信対象のアンテナ３１０を切り替える。つまり、リーダライタ３００は、予め定められた時間（例えば、２００ｍｓｅｃ）が経過する毎に、電波を受信させるアンテナ３１０を切り替える。
【００２７】
アンテナ３１０は、リーダライタ３００による制御に従って電力供給用電波を放射し、通信対象の無線タグから受信したタグ情報包含電波に応じた電気信号をリーダライタ３００に供給する。具体的には、アンテナ３１０は、リーダライタ３００から受信した電気信号に応じた電力供給用電波を放射する。また、アンテナ３１０は、通信対象の無線タグが、電力供給用電波を受信したことに応答して放射したタグ情報包含電波を受信する。アンテナ３１０は、タグ情報包含電波に応じた電気信号をリーダライタ３００に送信する。
【００２８】
アンテナ３１０は、通信性能が、通信対象の無線タグとの距離に大きく依存するアンテナであることが好適である。具体的には、アンテナ３１０は、通信対象の無線タグとの距離が相対的に短い場合に通信対象と通信可能であり、通信対象との距離が相対的に長い場合に通信対象と通信不可能であることが好適である。アンテナ３１０は、例えば、放射面がほぼ平面である平面状のアンテナであり、シート状のアンテナ、或いは、通信シートとも呼ばれる。アンテナ３１０は、アンテナ３１０の近傍における電波強度が非常に高く、一方、アンテナ３１０からの距離が離れた場所における電波強度が非常に低くなる。
【００２９】
本実施形態では、アンテナ３１０による受信強度（ＲＳＳＩ：Received Signal Strength Indicator）が閾値以上である場合に「電波を受信した」又は「電波を受信可能である」といい、受信強度が閾値未満である場合に「電波を受信しない」又は「電波を受信可能でない」という。また、通信対象の無線タグが後述する浸出領域３１６内にあり、且つ、遮蔽板６００により電波が遮蔽されていないときに、アンテナ３１０は電波を受信可能であるものとする。また、通信対象の無線タグが後述する浸出領域３１６外にあるとき、又は、遮蔽板６００により電波が遮蔽されているときにアンテナ３１０は電波を受信可能でないものとする。
【００３０】
図３と図４とを参照して、アンテナ３１０の構成について説明する。図３は、アンテナ３１０の平面図である。図４は、図３のＡ−Ａ線における断面図である。図３に示すように、アンテナ３１０は、厚み方向における一方側の表面に、メッシュ状の開孔が形成されたシート状導体３１１を有する。また、アンテナ３１０は、図４に示すように、厚み方向における他方側の表面に、シート状導体３１１に対向して配置されるシート状導体３１２を有し、２層のシート状導体３１１、３１２の間に誘電体３１３を有する。なお、シート状導体３１１の上面には、水をこぼした場合等に備えて塩化ビニル等の保護シート３１４が貼り付けられている。同様に、シート状導体３１２の下面には、塩化ビニル等の保護シート３１５が貼り付けられている。
【００３１】
本実施形態では、開孔の形状は、正三角形である。このようなメッシュパターンを有するアンテナ３１０は、アンテナ３１０の近傍における電波強度が非常に高く、一方、アンテナ３１０からの距離が離れた場所における電波強度が非常に低くなる。このため、アンテナ３１０は、アンテナ感度が比較的低い通信相手と通信するのに好適である。つまり、アンテナ３１０は、ＲＦＩＤタグの読み取りに好適である。
【００３２】
シート状導体３１１は、例えば、複数の第１の線状導体と、複数の第２の線状導体と、複数の第３の線状導体とが、相互に交差することにより、複数の正三角形の開孔が形成された層である。第１の線状導体と第２の線状導体と第３の線状導体とは、同一平面上に配置され、互いに６０度の角度で交差する。本実施形態では、正三角形の一辺の長さは、７ｍｍであるものとする。
【００３３】
シート状導体３１１及びシート状導体３１２は、それぞれ例えば厚さが約３２μｍのアルミのラミネートで構成される。誘電体３１３は、例えば厚さが約２ｍｍの発泡ポリオレフィンで構成される。なお、シート状導体３１１及びシート状導体３１２は、アルミのラミネートに限らず、銅、銀、ニッケル等の金属箔、めっき、蒸着、プリント等で構成されてもよい。また、誘電体３１３は、発泡ポリオレフィンに限らず、ポリエステル、ポリアミド、芳香族ポリアミド等で構成されてもよい。また、誘電体３１３を用いずに、シート状導体３１１、３１２間は空気であってもよい。
【００３４】
保護シート３１４は、絶縁体により構成された層である。保護シート３１４は、シート状導体３１１の表面が傷つけられたり、シート状導体３１１の表面が外部の導体と接触したりすることを抑制する機能を有する。保護シート３１５は、絶縁体により構成された層である。保護シート３１５は、シート状導体３１２の表面が傷つけられたり、シート状導体３１２の表面が外部の導体と接触したりすることを抑制する機能を有する。保護シート３１４や保護シート３１５は、例えば、ＰＥＴ（ポリエチレンテレフタレート）により構成される。
【００３５】
アンテナ３１０は、長手方向における一端にアンテナ３１０に電波（電気信号）を供給するための電波インターフェース３２０を有する。電波インターフェース３２０は、通信ケーブル３３０によりリーダライタ３００と接続される。また、アンテナ３１０は、長手方向における他端に、電波を吸収するための電波吸収部３４０を有する。
【００３６】
電波インターフェース３２０は、導体層３２１と、導体層３２２と、絶縁体層３２３と、電極３２４と、電極３２５と、コネクタ３２６と、を備える。導体層３２１は、絶縁体層３２３の一方の表面に形成された層であり、導体により構成された層である。導体層３２２は、絶縁体層３２３の他方の表面に形成された層であり、導体により構成された層である。絶縁体層３２３は、導体層３２１と導体層３２２とに挟まれた層であり、絶縁体により構成された層である。
【００３７】
電極３２４は、導体層３２１と保護シート３１４とを跨ぐように配置された平板状の電極である。電極３２５は、導体層３２２と保護シート３１５とを跨ぐように配置された平板状の電極である。コネクタ３２６は、導体層３２１の一方の表面上に設けられ、通信ケーブル３３０が差し込まれるコネクタである。コネクタ３２６は、導体により構成される。
【００３８】
通信ケーブル３３０は、内部導体３３１と、絶縁体（図示せず）と、外部導体３３２と、保護皮膜（図示せず）と、を備える同軸ケーブルである。内部導体３３１は、信号電位が印加される導体であり、例えば、銅線により構成される。絶縁体（図示せず）は、内部導体３３１と外部導体３３２とを絶縁するための絶縁体であり、例えば、ポリエチレンにより構成される。外部導体３３２は、接地電位が印加される導体であり、例えば、網組み銅線により構成される。保護被覆（図示せず）は、通信ケーブル３３０の内部を保護するための絶縁体であり、例えば、ビニル樹脂により構成される。
【００３９】
通信ケーブル３３０は、コネクタ３２６に差し込まれる。そして、内部導体３３１は、導体層３２１と導体層３２２と絶縁体層３２３とにより構成される基板に設けられた貫通孔を通り、導体層３２２と接続される。一方、外部導体３３２は、コネクタ３２６と接続される。従って、内部導体３３１と導体層３２２と電極３２５とが電気的に接続され、外部導体３３２とコネクタ３２６と導体層３２１と電極３２４とが電気的に接続される。つまり、電極３２５には、信号電位が印加され、電極３２４には、接地電位が印加される。そして、電極３２５と電極３２４との間に供給された電波（電気信号）が、アンテナ３１０を伝搬する。
【００４０】
電波吸収部３４０は、供給された電波を吸収する。電波吸収部３４０は、アンテナ３１０を伝搬した電波がアンテナ３１０の他端で反射することを抑制する。電波吸収部３４０は、電波吸収体３４１と、導体板３４２と、を備える。電波吸収体３４１は、供給された電波を吸収して、熱エネルギーに変換する。導体板３４２は、断面の形状がコの字型の板状の導体である。
【００４１】
リーダライタ３００からアンテナ３１０に電気信号が供給されると、電気信号に応じた電波がアンテナ３１０の内部を伝達する。そして、アンテナ３１０の内部を伝達する電波がアンテナ３１０の表面から浸出することによって、近接場が生じる。より詳細に説明すると、リーダライタ３００からアンテナ３１０に供給された電気信号に応じた電波は、２層のシート状導体３１１、３１２の間の誘電体３１３内であって、コネクタ３２６から電波吸収部３４０までの間を伝達する。そして、誘電体３１３内を伝達する電波は、シート状導体３１１に形成されたメッシュ状の開孔から浸出することによって、シート状導体３１１のごく近傍の浸出領域３１６（図４において破線で示した領域）に漏れ出す（浸出する）。この浸出した電波（エバネッセント波）は、遠方へは伝搬されず、シート状導体３１１のごく近傍の浸出領域３１６内において近接場を形成する。
【００４２】
シート状導体３１１の表面から浸出する電波の量、すなわち浸出領域３１６の大きさは、主に、シート状導体３１１に形成されたメッシュの間隔と、誘電体３１３の比誘電率と、誘電体３１３の厚みと、によって決まる。なお、誘電体３１３内を伝達する電波は、アンテナ３１０のシート状導体３１２側の表面には開孔が形成されておらずシールドされているため、シート状導体３１２側からは浸出しない。
【００４３】
物品５１０、５２０、５３０、５４０、５５０は、配置領域の特定対象の物品であり、ほぼ同一の大きさ及び形状であるものとする。以下、図５を参照して、物品５１０の構成について説明する。図５に示すように、物品５１０は、幅方向の長さが、幅方向と直交する高さ方向の長さよりも長く、幅方向と高さ方向とに直交する長手方向の長さよりも短い直方体であるものとする。物品５１０の底面（高さ方向と直交する２つの面のうち一方の面）の予め定められた固定位置には、２つの無線タグ５１１、５１２が物品５１０の長手方向に並べられて固定される。無線タグ５１１の中心から無線タグ５１２の中心までの距離は、ｄｙである。
【００４４】
ここで、Ｚ軸は、鉛直方向上向きに延びる軸であり、Ｘ軸は、Ｚ軸と直交する軸であり、Ｙ軸は、Ｘ軸とＺ軸とに直交する軸であるものとする。物品５１０は、配置領域に正しく配置されるとき、高さ方向がＺ軸方向と平行であり、幅方向がＸ軸方向と平行であり、長さ方向がＹ軸方向と平行であり、底面が下側に配置され、無線タグ５１１のＹ軸方向における座標が無線タグ５１２のＹ軸方向における座標よりも大きくなるものとする。
【００４５】
本実施形態では、物品５１０の形状や色により物品５１０が向いている方向を容易に特定可能であり、物品５１０が誤った方向で配置されることはないものとする。誤った方向で配置される場合とは、例えば、物品の長手方向がＹ軸と平行でない場合、物品の幅方向がＸ軸と平行でない場合、底面が上側に配置される場合、無線タグ５１１のＹ軸方向における座標が無線タグ５１２のＹ軸方向における座標よりも小さくなる場合である。
【００４６】
無線タグ５１１、５１２、５２１、５２２、５３１、５３２、５４１、５４２、５５１、５５２は、パッシブタグであり、ＲＦＩＤ（Radio Frequency IDentification）タグである。従って、無線タグ５１１、５１２、５２１、５２２、５３１、５３２、５４１、５４２、５５１、５５２は、タグ情報を記憶し、電力供給用電波を受信すると、タグ情報を含むタグ情報包含電波を放射する。
【００４７】
タグ情報には、物品を識別するための情報である物品識別情報が含まれる。本実施形態では、同じ物品に固定される２つの無線タグが記憶するタグ情報には、同じ物品を識別するための物品識別情報が含まれていればよい。従って、同じ物品に固定される２つの無線タグが記憶するタグ情報は、全く同じ情報であってもよい。本実施形態では、物品の個数は５個であるため、物品識別情報は、例えば、Ａ、Ｂ、Ｃ、Ｄ、Ｅの５つのアルファベットのいずれかを示す情報である。そこで、例えば、タグ情報を、物品識別情報により、（Ａ−Ｅのいずれかのアルファベット）で表すものとする。
【００４８】
例えば、無線タグ５１１は、Ａを示す物品識別情報を含むタグ情報を記憶する。そこで、無線タグ５１１は、（Ａ）で表されるタグ情報を記憶する。同様に、無線タグ５１２は、（Ａ）で表されるタグ情報を記憶する。同様に、無線タグ５２１、５２２、５３１、５３２、５４１、５４２、５５１、５５２は、それぞれ、（Ｂ）、（Ｂ）、（Ｃ）、（Ｃ）、（Ｄ）、（Ｄ）、（Ｅ）、（Ｅ）で表されるタグ情報を記憶する。
【００４９】
通信ネットワーク７００は、宅外に構築されるネットワークであり、通信ネットワーク７００に接続された機器同士が相互に通信するためのネットワークである。通信ネットワーク７００は、例えば、ＷＡＮ（Wide Area Network）である。通信ネットワーク７００は、例えば、インターネットである。
【００５０】
次に、図６を参照して、配置領域６１０、６２０、６３０、６４０、６５０について説明する。配置領域６１０、６２０、６３０、６４０、６５０は、物品５１０、５２０、５３０、５４０、５５０が配置される領域である。従って、配置領域６１０、６２０、６３０、６４０、６５０の形状及び大きさは、物品５１０、５２０、５３０、５４０、５５０の形状及び大きさとほぼ同じである。本実施形態では、Ｘ軸方向に沿って、５つの配置領域が１列に等間隔で並ぶものとする。なお、配置領域の個数は、物品の個数と同じである必要はなく、物品の個数よりも多くてもよいし、物品の個数よりも少なくてもよい。
【００５１】
図６に示すように、アンテナ３１０Ａとアンテナ３１０Ｂとアンテナ３１０Ｃとは、Ｘ軸方向に２列に配置され、長手方向がＸ軸方向と平行となるように配置される。ここで、配置領域６１０、６２０、６３０、６４０、６５０は、それぞれ、アンテナ３１０Ａとアンテナ３１０Ｂとアンテナ３１０Ｃとのうち少なくとも１つと重なるように配置される。ここで、ある物品をある配置領域に配置したときに、この配置領域と重なるアンテナにこの物品に固定された２つの無線タグの一方が重なるように、アンテナと配置領域とが設けられる。
【００５２】
図６には、配置領域６１０に物品５１０が配置され、配置領域６２０に物品５２０が配置され、配置領域６３０に物品５３０が配置され、配置領域６４０に物品５４０が配置され、配置領域６５０に物品５５０が配置された例が示されている。ここで、無線タグ５１１、５２１、５３１、５４１、５５１のＹ軸方向の座標がｙ１となり、無線タグ５１２、５２２、５３２、５４２、５５２のＹ軸方向の座標がｙ２となる。ｙ１とｙ２との差は、ｄｙである。
【００５３】
タグ情報を読み取り可能な少なくとも１つのアンテナ３１０の組み合わせは、複数の配置領域毎に異なる。図７に配置領域とアンテナとの対応関係を示す。図７において、領域Ａ、Ｂ、Ｃ、Ｄ、Ｅは、それぞれ、配置領域６１０、６２０、６３０、６４０、６５０を示している。また、アンテナＡ、Ｂ、Ｃは、それぞれ、アンテナ３１０Ａ、３１０Ｂ、３１０Ｃを示している。図７において、「○」は、物品に固定された２つの無線タグのうち一方の無線タグからタグ情報の読み取りが可能であることを示し、「×」は、物品に固定された２つの無線タグのいずれからもタグ情報の読み取りが可能でないことを示している。
【００５４】
図７に示すように、領域Ａは、アンテナＡのみによりタグ情報の読み取りが可能である。領域Ｂは、アンテナＡとアンテナＢとによりタグ情報の読み取りが可能である。領域Ｃは、アンテナＢのみによりタグ情報の読み取りが可能である。領域Ｄは、アンテナＢとアンテナＣとによりタグ情報の読み取りが可能である。領域Ｅは、アンテナＣのみによりタグ情報の読み取りが可能である。
【００５５】
逆に言えば、アンテナＡは、領域Ａと領域Ｂとからタグ情報の読み取り可能であり、アンテナＢは、領域Ｂと領域Ｃと領域Ｄとからタグ情報の読み取り可能であり、アンテナＣは、領域Ｄと領域Ｅとからタグ情報の読み取り可能である。複数の配置領域毎に、タグ情報の読み取り可能なアンテナの組み合わせを示す情報は、アンテナの組み合わせから配置領域を特定するための情報であり、領域特定情報という。領域特定情報は、複数のアンテナ毎に、タグ情報の読み取り可能な配置領域の組み合わせを示す情報とも言える。領域特定情報は、予めフラッシュメモリ１４に記憶されているものとする。
【００５６】
次に、図８を参照して、本実施形態に係る処理装置１００が実行する情報出力処理について説明する。情報出力処理は、例えば、処理装置１００の電源が投入されたことに応答して実行される。
【００５７】
まず、ＣＰＵ１１は、３つのアンテナから１つのアンテナ３１０を選択する（ステップＳ１０１）。ＣＰＵ１１は、リーダライタ３００を制御して、所望のアンテナ３１０とリーダライタ３００との接続を確立する。ＣＰＵ１１は、ステップＳ１０１の処理を完了すると、選択したアンテナ３１０から電波を放射する（ステップＳ１０２）。この電波は、電力供給用電波である。ＣＰＵ１１は、リーダライタ３００を介して、アンテナ３１０から電力供給用電波を放射させる。アンテナ３１０に電波を放射させる期間は、例えば、数十ミリ秒から数百ミリ秒である。
【００５８】
ＣＰＵ１１は、ステップＳ１０２の処理を完了すると、タグ情報を受信する（ステップＳ１０３）。例えば、アンテナ３１０がタグ情報を含む電波を受信した場合、ＣＰＵ１１は、リーダライタ３００からタグ情報を含む電気信号を受信する。なお、アンテナ３１０がタグ情報を含む電波を受信しない場合、ＣＰＵ１１は、リーダライタ３００からタグ情報を含む電気信号を受信しない。
【００５９】
ここで、リーダライタ３００は、アンテナ３１０から受信したタグ情報に、アンテナ３１０の識別情報（以下「アンテナ識別情報」という。）を付与した上で、ＣＰＵ１１に送信することができる。アンテナ３１０の識別情報は、例えば、ａ、ｂ、ｃの３つの小文字のアルファベットである。例えば、無線タグ５１１が記憶するタグ情報、つまり、（Ａ）で表されるタグ情報がアンテナ３１０Ａにより受信されると、（Ａ）で表されるタグ情報に（ａ）で表されるアンテナ識別情報が付与されて、リーダライタ３００からＣＰＵ１１に送信される。
【００６０】
ＣＰＵ１１は、ステップＳ１０３の処理を完了すると、未選択のアンテナ３１０があるか否かを判別する（ステップＳ１０４）。未選択のアンテナ３１０とは、情報出力処理を開始してから、又は、後述するステップＳ１０９の処理が完了してから、ステップＳ１０２において電波を放射させていないアンテナである。なお、この電波は、タグ情報包含電波である。
【００６１】
ＣＰＵ１１は、未選択のアンテナ３１０があると判別すると（ステップＳ１０４：ＹＥＳ）、ステップＳ１０１に処理を戻す。一方、ＣＰＵ１１は、未選択のアンテナ３１０がないと判別すると（ステップＳ１０４：ＮＯ）、タグ情報が読み込まれた物品を特定する（ステップＳ１０５）。
【００６２】
例えば、１以上のタグ情報が受信された場合、ＣＰＵ１１は、受信した１以上のタグ情報に含まれる物品識別情報から、１以上の物品を特定することができる。例えば、（ａ）で表されるアンテナ識別情報が付された（Ａ）で表されるタグ情報と、（ａ）で表されるアンテナ識別情報が付された（Ｂ）で表されるタグ情報と、（ｂ）で表されるアンテナ識別情報が付された（Ｂ）で表されるタグ情報と、（ｃ）というで表されるアンテナ識別情報（Ｅ）で表されるタグ情報とが受信されたものとする。この場合、タグ情報に含まれる物品識別情報からは、（Ａ）、（Ｂ）、（Ｅ）により表される３つの物品、つまり、物品５１０、５２０、５５０が特定される。
【００６３】
ＣＰＵ１１は、ステップＳ１０５の処理を完了すると、物品を選択する（ステップＳ１０６）。例えば、ＣＰＵ１１は、物品５１０と物品５２０と物品５５０とから物品５１０を選択する。ＣＰＵ１１は、ステップＳ１０６の処理を完了すると、アンテナ３１０を特定する（ステップＳ１０７）。例えば、ＣＰＵ１１は、物品５１０を表す（Ａ）で表されるタグ情報に付された（ａ）で表されるアンテナ識別情報から、アンテナ３１０Ａを特定する。
【００６４】
ＣＰＵ１１は、ステップＳ１０７の処理を完了すると、配置領域を特定する（ステップＳ１０８）。例えば、ＣＰＵ１１は、領域特定情報に基づいて、アンテナ３１０Ａから配置領域６１０を特定する。ＣＰＵ１１は、例えば、この時点で、物品５１０と配置領域６１０とを対応付ける情報である対応関係情報を生成し、フラッシュメモリ１４に記憶させる。
【００６５】
ＣＰＵ１１は、ステップＳ１０８の処理を完了すると、未選択の物品があるか否かを判別する（ステップＳ１０９）。例えば、物品５１０のみが選択済みである場合、ＣＰＵ１１は、未選択の物品があると判別し（ステップＳ１０９：ＹＥＳ）、ステップＳ１０６に処理を戻す。この場合、ステップＳ１０６において、例えば、物品５２０が選択され、ステップＳ１０７において、アンテナＡとアンテナＢとが特定され、ステップＳ１０８において、領域６２０が特定される。ＣＰＵ１１は、例えば、この時点で、物品５２０と配置領域６２０とを対応付ける情報である対応関係情報を生成し、フラッシュメモリ１４に記憶させる。
【００６６】
そして、ステップＳ１０９において、物品５５０が未選択であるため、ＣＰＵ１１は、未選択の物品があると判別し（ステップＳ１０９：ＹＥＳ）、ステップＳ１０６に処理を戻す。この場合、ステップＳ１０６において、例えば、物品５５０が選択され、ステップＳ１０７において、アンテナＣが特定され、ステップＳ１０８において、領域６５０が特定される。ＣＰＵ１１は、例えば、この時点で、物品５５０と配置領域６５０とを対応付ける情報である対応関係情報を生成し、フラッシュメモリ１４に記憶させる。
【００６７】
この場合、未選択の物品がないため、ステップＳ１０９において、ＣＰＵ１１は、未選択の物品がないと判別し（ステップＳ１０９：ＮＯ）、画面表示を更新する（ステップＳ１１０）。例えば、ＣＰＵ１１は、フラッシュメモリ１４に記憶された対応関係情報に基づいて、物品と配置領域との対応関係を示す画像をタッチスクリーン１６に表示させる。図９に、表示される画像の例を示す。
【００６８】
図９に示すように、画像９００は、画像９１１−９１５と、画像９２１と、画像９２２と、画像９２５と、を備える。画像９１１−９１５は、それぞれ、配置領域を示す画像である。具体的には、画像９１１は配置領域６１０を示す画像であり、画像９１２は配置領域６２０を示す画像であり、画像９１３は配置領域６３０を示す画像であり、画像９１４は配置領域６４０を示す画像であり、画像９１５は配置領域６５０を示す画像である。画像９２１は、例えば、物品５１０を示す画像であり、例えば、物品５１０の名称（例えば、物品Ａ）を示す画像である。画像９２２は、例えば、物品５２０を示す画像であり、例えば、物品５２０の名称（例えば、物品Ｂ）を示す画像である。画像９２５は、例えば、物品５５０を示す画像であり、例えば、物品５５０の名称（例えば、物品Ｅ）を示す画像である。
【００６９】
画像９００は、物品５１０が配置領域６１０に配置され、物品５２０が配置領域６２０に配置され、物品５５０が配置領域６５０に配置されたことを明示する画像である。例えば、画像９００は、画像９２１が画像９１１の真上に配置され、画像９２２が画像９１２の真上に配置され、画像９５１が画像９１５の真上に配置された画像である。ユーザは、画像９００を参照することにより、物品５１０が配置領域６１０に配置され、物品５２０が配置領域６２０に配置され、物品５５０が配置領域６５０に配置されたことを知ることができる。なお、画像９００は、物品５３０と物品５４０とが配置領域６１０、６２０、６３０、６４０、６５０のいずれにも配置されていないことを明示した画像とも言える。
【００７０】
本実施形態では、読み取られたタグ情報に含まれる物品識別情報から、配置された物品が特定され、アンテナ識別情報からタグ情報の読み取りに使用されたアンテナが特定される。そして、特定されたアンテナの組み合わせと領域特定情報とから配置領域が特定され、配置された物品と配置領域との対応関係を示す対応関係情報が出力される。このため、本実施形態では、配置領域の特定に用いられるアンテナ３１０の個数は、配置領域の個数（例えば、５個）よりも少ない。このため、本実施形態によれば、低コストで、物品が配置された位置を精度良く特定し、特定した位置をユーザに知らせることができる。なお、対応関係情報は、領域情報の一態様である。
【００７１】
（実施形態２）
実施形態１では、物品が配置領域に正しい向きで配置されることを前提にした例について説明した。しかしながら、物品の形状によっては、物品が配置領域に誤った向きで配置される可能性がある。本実施形態では、物品が配置領域に誤った向きで配置されたことを検知し、ユーザに報知する情報出力システムについて説明する。実施形態２は、実施形態１と比べて、主に、タグ情報に位置識別情報が含まれることと、領域特定情報に位置識別情報が含まれることとが異なる。
【００７２】
本実施形態では、タグ情報には、物品識別情報に加え、物品への固定位置を識別するための情報である位置識別情報が含まれる。本実施形態では、固定位置は２箇所存在するものとする。この場合、位置識別情報は、例えば、１、２の２つの数値のいずれかを示す情報である。そこで、例えば、タグ情報を、物品識別情報と位置識別情報との組み合わせにより、（Ａ−Ｅのいずれかのアルファベット、１、２のいずれかの数字）で表すものとする。
【００７３】
例えば、無線タグ５１１は、１を示す位置識別情報とＡを示す位置識別情報とを含むタグ情報を記憶する。そこで、無線タグ５１１は、（Ａ、１）で表されるタグ情報を記憶する。同様に、無線タグ５１２は、（Ａ、２）で表されるタグ情報を記憶する。同様に、無線タグ５２１、５２２、５３１、５３２、５４１、５４２、５５１、５５２は、それぞれ、（Ｂ、１）、（Ｂ、２）、（Ｃ、１）、（Ｃ、２）、（Ｄ、１）、（Ｄ、２）、（Ｅ、１）、（Ｅ、２）で表されるタグ情報を記憶する。
【００７４】
図１０は、配置領域と、タグ情報の読み取りに用いられるアンテナと、読み取られるタグ情報を記憶する無線タグの固定位置と、の対応関係を示している。図１０は、位置識別情報を含む領域特定情報を模式的に示した図とも言える。図１０において、「１」は、物品に固定された２つの無線タグのうちｙ軸方向の座標がｙ１である無線タグからタグ情報の読み取りが可能であることを示し、「２」は、物品に固定された２つの無線タグのうちｙ軸方向の座標がｙ２である無線タグからタグ情報の読み取りが可能であることを示し、「×」は、物品に固定された２つの無線タグのいずれからもタグ情報の読み取りが可能でないことを示している。
【００７５】
つまり、本実施形態では、領域特定情報を用いた配置領域の特定において、位置識別情報が加味される。そして、読み込まれたタグ情報が予め定められた位置とは異なる位置に固定された無線タグに記憶されたタグ情報である場合、物品が誤った向きで配置されたことが検知される。本実施形態では、例えば、図８に示すステップＳ１０３において、位置識別情報を含むタグ情報が受信される。そして、図８に示すステップＳ１０８において、領域特定情報とアンテナ識別情報とから配置領域を特定する際に、更に、タグ情報に含まれる位置識別情報が考慮される。
【００７６】
例えば、（ａ）で表されるアンテナ識別情報が付された（Ａ、１）で表されるタグ情報と、（ａ）で表されるアンテナ識別情報が付された（Ｂ、１）で表されるタグ情報と、（ｂ）で表されるアンテナ識別情報が付された（Ｂ、２）で表されるタグ情報と、（ｂ）で表されるアンテナ識別情報が付された（Ｄ、２）で表されるタグ情報と、（ｂ）で表されるアンテナ識別情報が付された（Ｃ、１）で表されるタグ情報と、（ｃ）で表されるアンテナ識別情報が付された（Ｃ、２）で表されるタグ情報と、（ｃ）で表されるアンテナ識別情報が付された（Ｅ、１）で表されるタグ情報と、が受信されたものとする。この場合、ステップＳ１０６において、タグ情報に含まれる物品識別情報からは、（Ａ、１）、（Ｂ、１）又は（Ｂ、２）、（Ｃ、１）又は（Ｃ、２）、（Ｄ、２）、（Ｅ、１）で表されるタグ情報により表される５つの物品、つまり、物品５１０、５２０、５３０、５４０、５５０が特定される。
【００７７】
ここで、例えば、ステップＳ１０６において、物品５１０が選択された場合、ステップＳ１０７において、（Ａ、１）で表されるタグ情報に付された（ａ）で表されるアンテナ識別情報からアンテナＡが特定される。そして、ステップＳ１０８において、（Ａ、１）で表されるタグ情報から無線タグ５１１が特定される。ここで、図１０に示すように、アンテナＡ（アンテナ３１０Ａ）のみがタグ情報の読み込みに用いられる配置領域は、領域Ａ（領域６１０）である。ここで、領域ＡとアンテナＡとにより「１」が特定される。
【００７８】
この「１」は、Ｙ軸方向の座標がｙ１であるべきことを示している。一方、無線タグ５１１のＹ軸方向の座標は、ｙ１である。このため、物品５１０が配置領域６１０に正しい向きで配置されたと判定される。ＣＰＵ１１は、例えば、この時点で、物品５１０と配置領域６１０とを対応付ける情報である対応関係情報を生成し、フラッシュメモリ１４に記憶させる。また、ＣＰＵ１１は、物品５１０の判別結果（正しいことを示す判別結果）を示す判別結果情報を、フラッシュメモリ１４に記憶する。
【００７９】
一方、例えば、ステップＳ１０６において、物品５３０が選択された場合、ステップＳ１０７において、（Ｃ、１）で表されるタグ情報に付された（ｂ）で表されるアンテナ識別情報からアンテナＢと、（Ｃ、２）で表されるタグ情報に付された（ｃ）で表されるアンテナ識別情報からアンテナＣとが特定される。そして、ステップＳ１０８において、（Ｃ、１）で表されるタグ情報から無線タグ５３１が特定され、（Ｃ、２）で表されるタグ情報から無線タグ５３２が特定される。ここで、図１０に示すように、アンテナＢ（アンテナ３１０Ｂ）とアンテナＣ（アンテナ３１０Ｃ）とがタグ情報の読み込みに用いられる配置領域は、領域Ｄ（領域６４０）である。ここで、領域ＤとアンテナＢとにより「２」が特定される。
【００８０】
この「２」は、Ｙ軸方向の座標がｙ２であるべきことを示している。一方、無線タグ５１１のＹ軸方向の座標は、ｙ１である。このため、物品５３０が配置領域６１０に誤った向きで配置されたと判定される。ＣＰＵ１１は、例えば、この時点で、物品５３０と配置領域６３０とを対応付ける情報である対応関係情報を生成し、フラッシュメモリ１４に記憶させる。また、ＣＰＵ１１は、物品５３０の判別結果（誤っていることを示す判別結果）を示す判別結果情報を、フラッシュメモリ１４に記憶する。
【００８１】
ＣＰＵ１１は、ステップＳ１０９において、未選択の物品がないと判別すると、画面表示を更新する。例えば、ＣＰＵ１１は、フラッシュメモリ１４に記憶された対応関係情報と判別結果情報とに基づいて、物品と配置領域との対応関係と判別結果とを示す画像をタッチスクリーン１６に表示させる。図１１に、表示される画像の例を示す。
【００８２】
図１１に示すように、画像９０１は、画像９１１−９１５と、画像９２１−９２５と、を備える。物品５１０を示す画像である画像９２１は、領域Ａを示す画像である画像９１１の真上に配置される。また、物品５２０を示す画像である画像９２２は、領域Ｂを示す画像である画像９１２の真上に配置される。また、物品５３０を示す画像である画像９２３は、領域Ｄを示す画像である画像９１４の真上に配置される。また、物品５４０を示す画像である画像９２４は、領域Ｃを示す画像である画像９１３の真上に配置される。また、物品５５０を示す画像である画像９２５は、領域Ｅを示す画像である画像９１５の真上に配置される。ここで、画像９３０は、物品５３０が誤った向きで配置されたことを報知する画像である。画像９３０は、例えば、物品５３０が誤った向きで配置されたこと報知する文字列を含む画像である。
【００８３】
なお、誤った向きで配置された物品５３０に対応する画像９２３は、強調表示されてもよい。例えば、画像９２３は、画像９２１、９２２、９２４、９２５の色彩とは異なる色彩で表示されてもよいし、画像９２１、９２２、９２４、９２５よりも大きく表示されてもよい。ユーザは、画像９０１を参照することにより、物品５１０が配置された配置領域が領域Ａであり、物品５２０が配置された配置領域が領域Ｂであり、物品５３０が配置された配置領域が領域Ｄであり、物品５４０が配置された配置領域が領域Ｃであり、物品５５０が配置された配置領域が領域Ｅであり、物品５３０が誤った向きで配置されていることを知ることができる。
【００８４】
本実施形態では、１つの物品に固定された２つの無線タグのうち、タグ情報が読み取られるべきでない無線タグからタグ情報が読み取られた場合、物品が誤った向きで配置されたと判別され、誤った向きで配置されたことを報知する報知情報が出力される。従って、本実施形態によれば、物品が誤った向きで配置されていることを、ユーザに知らせることができる。
【００８５】
（実施形態３）
実施形態１では、２次元通信によりタグ情報を読み取るためのアンテナ、つまり、２次元方向に電波を放射する平面上のアンテナを採用する例について説明した。本発明において、タグ情報の読み取りに用いるアンテナとして、種々のアンテナを採用することができる。本実施形態では、３次元通信によりタグ情報を読み取るためのアンテナ、つまり、３次元方向に電波を放射するアンテナ４００を採用する例について説明する。アンテナ４００は、細長く薄い、ブレード状のアンテナである。
【００８６】
図１２は、本実施形態に係るアンテナ４００Ａ、４００Ｂ、４００Ｃ（以下、適宜「４００」という。）を介してタグ情報を読み取る様子を示す図である。本実施形態では、例えば、机８００の上面に、配置領域６１０、６２０、６３０、６４０、６５０が設けられる。そして、机８００の下方（例えば、床）に、アンテナ４００Ａ、４００Ｂ、４００Ｃが配置される。アンテナ４００Ａ、４００Ｂ、４００Ｃの位置、角度、電波強度は、タグ情報を読み取り可能となる少なくとも１つのアンテナ４００の組み合わせが、複数の領域毎に異なるように調整される。図１３に、アンテナ４００Ａ、４００Ｂ、４００Ｃの位置、角度、電波強度が調整された様子を示す。
【００８７】
図１３には、アンテナ４００Ａ、４００Ｂ、４００Ｃのそれぞれについて、机８００の上面近傍における、タグ情報の読み取り可能範囲を破線で示している。図１３に示す例では、実施形態１と同様の領域特定情報、つまり、図７に模式的に示された領域特定情報を採用することができる。なお、処理装置１００は、このようなタグ情報の読み取りを実現するため、適切な電波強度でアンテナ４００から電波が放射されるように、リーダライタ３００を制御する。なお、机８００を構成する板は、アンテナ４００と無線タグとの電波の授受をあまり阻害しない素材や厚さであるものとする。
【００８８】
以下、図１４及び図１５を参照して、アンテナ４００の構成について簡単に説明する。なお、ブレード状のアンテナの詳細な説明は、例えば、特開２０１５−１９８３７２号公報に詳細に開示されている。図１４（Ａ）は、アンテナ４００の平面図である。図１４（Ｂ）は、アンテナ４００の正面図である。図１５（Ａ）は、図１４（Ａ）におけるＡ−Ａ線の断面図である。図１５（Ｂ）は、図１４（Ａ）におけるＢ−Ｂ線の断面図である。図１４（Ａ）及び図１４（Ｂ）において、アンテナ４００の長さ方向はＸ軸方向であり、アンテナ４００の幅方向はＹ軸方向であり、アンテナ４００の厚さ方向はＺ軸方向である。
【００８９】
アンテナ４００は、基板４０１と、給電部４０２と、終端抵抗部４０３と、ストリップライン部４０４（ストリップライン部４０４Ａ、ストリップライン部４０４Ｂ）と、無給電電極部（無給電電極部４０５Ａ、無給電電極部４０５Ｂ、無給電電極部４０５Ｃ、無給電電極部４０５Ｄ）と、金属板４０６とを備える。また、アンテナ４００は、電波を放射する放射面４０７と、放射面４０７と対向する対向面４０８とを備える。基板４０１は、アンテナ４００の基材であり、例えば、ガラス繊維とエポキシ樹脂とを含むプリント基板である。基板４０１は、例えば、長さ２７５ｍｍ、幅１５ｍｍ、厚さ３ｍｍの幅狭な板状に形成される。
【００９０】
給電部４０２は、アンテナ４００が備えるストリップライン部４０４に電流を供給し、基板４０１の表面の一端に設けられる。給電部４０２は、図示しない通信ケーブルの他端と、ストリップライン部４０４の一端とに接続される。給電部４０２は、図示しない通信ケーブルを介してリーダライタ３００から電気信号を受信し、ストリップライン部４０４に電流を供給する。終端抵抗部４０３は、ストリップライン部４０４を流れた電流の反射が発生することを抑制し、基板４０１の表面の他端に設けられる。
【００９１】
ストリップライン部４０４は、給電部４０２から供給された電流が流れる線路であり、基板４０１の長さ方向に伸びる態様に形成される。ストリップライン部４０４の一端は、給電部４０２に接続され、ストリップライン部４０４の他端は、終端抵抗部４０３に接続される。ストリップライン部４０４は、中間部分が、ストリップライン部４０４Ａとストリップライン部４０４Ｂとに分岐している。
【００９２】
無給電電極部（無給電電極部４０５Ａ、無給電電極部４０５Ｂ、無給電電極部４０５Ｃ、無給電電極部４０５Ｄ）は、基板４０１の長さ方向に伸びる電極であり、基板４０１の表面に配置される。無給電電極部（無給電電極部４０５Ａ、無給電電極部４０５Ｂ、無給電電極部４０５Ｃ、無給電電極部４０５Ｄ）は、ストリップライン部４０４と電磁的に結合し、ストリップライン部４０４に電流が流れると、内部に電流が流れて電波を放射する。無給電電極部（無給電電極部４０５Ａ、無給電電極部４０５Ｂ、無給電電極部４０５Ｃ、無給電電極部４０５Ｄ）は、通信に利用される電波の半波長程度の長さを有する。無給電電極部４０５Ａは、基板４０１の中央よりも給電部４０２に近いエリア内に配置される。無給電電極部４０５Ｂ、無給電電極部４０５Ｃ、無給電電極部４０５Ｄは、基板４０１の中央よりも終端抵抗部４０３に近いエリア内に互いに並列に配置される。
【００９３】
金属板４０６は、基板４０１の長さ方向に伸びる電極であり、基板４０１の裏面に配置される。金属板４０６は、ストリップライン部４０４とともにストリップラインを構成するためのグランド電極である。金属板４０６は、通信に利用される電波の１波長程度の長さを有する。アンテナ４００には、給電部４０２に近い部分に無給電電極部４０５Ａが設けられ、終端抵抗部４０３に近い部分に無給電電極部４０５Ｂ、無給電電極部４０５Ｃ、無給電電極部４０５Ｄが設けられる。従って、アンテナ４００によれば、電波をバランス良く放射することができる。
【００９４】
本実施形態では、２次元通信によりタグ情報を読み取るためのアンテナではなく、３次元通信によりタグ情報を読み取るためのアンテナを用いて、情報出力システムを構成することができる。本実施形態によれば、種々の理由により２次元通信用のアンテナを使用することができない場合においても、低コストで物品が配置された正確な位置を知らせる情報出力システムを構成することができる。
【００９５】
（変形例）
以上、本発明の実施形態を説明したが、本発明を実施するにあたっては、種々の形態による変形及び応用が可能である。
【００９６】
本発明において、上記実施形態において説明した構成、機能、動作のどの部分を採用するのかは任意である。また、本発明において、上述した構成、機能、動作のほか、更なる構成、機能、動作が採用されてもよい。また、上述した実施形態は、適宜、自由に組み合わせることができる。また、本発明において採用可能な素材、サイズ、電気的特性などが、上記実施形態において示したものに限定されないことは勿論である。
【００９７】
例えば、実施形態１では、基本的に、処理装置１００が単独で、情報出力処理を実行する例について説明した。本発明において、処理装置１００とサーバ２００とが協働して、情報出力処理を実行してもよい。
【００９８】
実施形態１では、基本的に、物品が配置された配置領域を示す領域情報、物品が誤った方向で配置されたことを報知する報知情報、物品とこの物品が配置された配置領域との対応関係を示す対応関係情報を、タッチスクリーン１６に出力し、タッチスクリーン１６に表示させる例について説明した。本発明において、これらの情報は、表示されなくてもよい。例えば、ＣＰＵ１１は、これらの情報を、フラッシュメモリ１４に出力し、フラッシュメモリ１４に記憶させるだけでもよい。また、ＣＰＵ１１は、これらの情報を、第１の通信インターフェース１７を介して、サーバ２００に送信するだけでもよい。
【００９９】
実施形態１、２、３では、物品が配置される予定の領域である配置予定領域が未定である場合において、物品が配置された配置領域を検出し、物品と検出された配置領域との対応関係を示す対応関係情報を、タッチスクリーン１６に出力し、タッチスクリーン１６に表示させる例について説明した。本発明において、配置予定領域が予め定められている場合、検出された配置領域と予め定められた配置予定領域とが一致するか否かを判別し、判別の結果を報知してもよい。この場合、例えば、個々の物品の配置予定領域をフラッシュメモリ１４などに記憶しておき、物品毎に、検出された配置領域と記憶されている配置領域とが一致するか否かを判別する。そして、誤配置であることを示す判別結果が得られた場合、判別結果（誤配置であること）を報知し、物品を配置予定領域に正しく配置することを促す報知情報を、タッチスクリーン１６に出力し、表示させてもよい。
【０１００】
実施形態１では、アンテナの上に直接物品が配置される例について説明した。本発明において、アンテナと物品との間に、他の部材が設けられていてもよいことは勿論である。
【０１０１】
実施形態１では、物品が直方体であり、物品が有する底面（物品が有する６つの面のうち、物品の厚さ方向と直交する２つの面のうち一方の面）に、無線タグが固定される例について説明した。本発明において、無線タグが設けられる場所は、この例に限定されない。例えば、無線タグは、物品が有する側面（物品が有する６つの面のうち、物品の厚さ方向と直交しない４つの面のうち１つの面）の底面近傍に固定されてもよい。また、物品は、直方体でなくてもよい。物品は、無線タグが固定される底面を有することが望ましい。
【０１０２】
実施形態１では、１つの物品に２個の無線タグが固定される例について説明した。本発明において、１つの物品に固定される無線タグの個数が３個以上でもよい。この場合において、この３個以上の無線タグは、一列に並んでいなくてもよい。
【０１０３】
実施形態１では、アンテナが３個であり、３個のアンテナが２列で配置される例について説明した。アンテナは、４個以上であってもよく、３列以上で配置されてもよい。また、アンテナの長手方向は統一されていなくてもよい。
【０１０４】
実施形態１では、処理装置１００やサーバ２００が有する機能を多くがソフトウェア（又は、ファームウェア）により実現される例、つまり、処理装置１００やサーバ２００が有する機能を多くがプロセッサによるプログラムの実行により実現されるについて説明した。本発明において、このような機能は、ハードウェアにより実現されてもよい。この場合、例えば、処理装置１００やサーバ２００は、ＣＰＵ１１や図示しないＣＰＵに代えて、処理回路を備える。この処理回路は、例えば、単一回路、複合回路、プログラム化したプロセッサ、並列プログラム化したプロセッサ、ＡＳＩＣ（Application Specific Integrated Circuit）、ＦＰＧＡ（Field Programmable Gate Array）、又はこれらの組合せにより構成される。
【０１０５】
本発明に係る処理装置１００やサーバ２００の動作を規定する動作プログラムを既存のパーソナルコンピュータや情報端末装置に適用することで、当該パーソナルコンピュータを本発明に係る処理装置１００やサーバ２００として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、通信ネットワーク（例えば、インターネット）を介して配布してもよい。
【符号の説明】
【０１０６】
１１  ＣＰＵ、１２  ＲＯＭ、１３  ＲＡＭ、１４  フラッシュメモリ、１５  ＲＴＣ、１６  タッチスクリーン、１７  第１の通信インターフェース、１８  第２の通信インターフェース、１００  処理装置、２００  サーバ、３００  リーダライタ、３１０，３１０Ａ，３１０Ｂ，３１０Ｃ，４００，４００Ａ，４００Ｂ，４００Ｃ  アンテナ、３１１，３１２  シート状導体、３１３  誘電体、３１４，３１５  保護シート、３１６  浸出領域、３２０  電波インターフェース、３２１，３２２  導体層、３２３  絶縁体層、３２４，３２５  電極、３２６  コネクタ、３３０，３３０Ａ，３３０Ｂ，３３０Ｃ  通信ケーブル、３３１  内部導体、３３２  外部導体、３４０  電波吸収部、３４１  電波吸収体、３４２  導体板、４０１  基板、４０２  給電部、４０３  終端抵抗部、４０４  ストリップライン部、４０５Ａ，４０５Ｂ，４０５Ｃ，４０５Ｄ  無給電電極部、４０６  金属板、４０７  放射面、４０８  対向面、５１０，５２０，５３０，５４０，５５０  物品、５１１，５１２，５２１，５２２，５３１，５３２，５４１，５４２，５５１，５５２  無線タグ、６１０，６２０，６３０，６４０，６５０  配置領域、７００  通信ネットワーク、８００  机、９００，９０１，９１１−９１５，９２１−９２５，９３０  画像、１０００  情報出力システム。
【図１】
2019003563.tif 000003
【図２】
2019003563.tif 000004
【図３】
2019003563.tif 000005
【図４】
2019003563.tif 000006
【図５】
2019003563.tif 000007
【図６】
2019003563.tif 000008
【図７】
2019003563.tif 000009
【図８】
2019003563.tif 000010
【図９】
2019003563.tif 000011
【図１０】
2019003563.tif 000012
【図１１】
2019003563.tif 000013
【図１２】
2019003563.tif 000014
【図１３】
2019003563.tif 000015
【図１４】
2019003563.tif 000016
【図１５】
2019003563.tif 000017